(57)【要約】      （修正有）【課題】誤った異常の内容が記憶されることを安価な構成で回避する。【解決手段】記憶部と、交流負荷と、交流負荷へ供給される交流電力のオンオフを切り替えるスイッチング部６５と、交流電力を第１レベルの直流電力に変換する第１変電部６２と、前記直流電力を第２レベルの直流電力に変換する第２変電部６３と、交流電力のゼロクロス点に応答してゼロクロス信号を出力するゼロクロス信号出力部６４と、第２レベルの直流電力により動作し、ゼロクロス信号に応答してスイッチング部６５にオンオフを切り変えさせる駆動制御部４２と、第２レベルの直流電力により動作し、前記直流電力により動作する直流負荷、又は前記交流負荷の異常の内容を記憶部に記憶する異常検出部４３を備え、異常検出部４３はゼロクロス信号が停止した時点から、第２変電部６３から供給される直流電力が第２レベル未満になるまでの間、前記異常の内容を記憶部に記憶させない。【選択図】図３
2012013829.tif 000002
【特許請求の範囲】
【請求項１】
記憶部と、
交流電源から供給される交流電力により動作する交流負荷へ供給される前記交流電力のオンオフを切り替えるスイッチング部と、
前記交流電源から供給される交流電力を予め定められた第１レベルの直流電力に変換する第１変電部と、
前記第１変電部から出力される直流電力を前記第１レベルとは異なる予め定められた第２レベルの直流電力に変換する第２変電部と、
前記交流電源から供給される前記交流電力のゼロクロス点に応答してゼロクロス信号を出力するゼロクロス信号出力部と、
前記第２変電部から供給される直流電力により動作し、前記ゼロクロス信号に応答して前記スイッチング部に前記オンオフを切り変えさせる制御を行う駆動制御部と、
前記第２変電部から供給される直流電力により動作し、前記第１変電部から供給される直流電力により動作する第１直流負荷、前記第２変電部から供給される直流電力により動作する第２直流負荷、又は前記交流負荷の少なくとも一つの異常を検出して、当該異常の内容を前記記憶部に記憶する異常検出部と、
を備え、
前記異常検出部は、前記ゼロクロス信号が停止した場合に、当該停止した時点から、前記第２変電部から供給される直流電力が前記第２レベル未満に電圧降下するまでの間、前記異常の内容を前記記憶部に記憶させない電源装置。
【請求項２】
請求項１に記載の電源装置と、前記交流負荷と、前記第１負荷又は前記第２負荷と、
を備えてなる電気機器。
【請求項３】
請求項１に記載の電源装置と、
前記交流負荷として、前記交流電源から供給される交流電力により加熱する定着ヒータと、
を備えた画像形成装置であって、
前記スイッチング部は、前記定着ヒータに供給される交流電力のオンオフを切り替え、
前記異常検出部は、前記ゼロクロス信号が停止した場合に、当該停止した時点から、前記第２変電部から供給される直流電力が前記第２レベル未満に電圧降下するまでの間、前記定着ヒータの異常の内容を前記記憶部に記憶させない画像形成装置。
【発明の詳細な説明】
【技術分野】
【０００１】
本発明は、プリンタ等の画像形成装置や、冷蔵庫等、交流電源から供給される電力で動作する電気機器において、電源の異常状態を検出する技術に関する。
【背景技術】
【０００２】
従来から、プリンタ等の画像形成装置、パソコン、テレビ、或いは冷蔵庫等の商用電源から供給される交流電力によって動作する電気機器には、交流電力を予め定められたレベルの直流電力に変換して、当該電気機器内部の各駆動部或いは当該駆動部を制御する制御部等の各機能動作部に、当該予め定められたレベルの直流電力を供給する電源装置が設けられている。
【０００３】
このような電気機器には、一般的に、各機能動作部の動作に異常が発生したことを検出する異常検出回路が設けられ、当該異常検出回路で検出された異常の内容が不揮発性メモリやＨＤＤ等の記憶媒体に記憶されるように構成されている。
【０００４】
しかしながら、例えば、駆動部の動作中において、商用電源のコンセントに接続されたプラグが離脱された場合等、電源装置に異常が発生した場合に、異常検出回路が電源装置における当該異常の発生を検出することができずに、電源装置からの電力の供給が遮断されることによって駆動部が動作停止したことを検出して、駆動部自体に異常が発生していないにもかかわらず、駆動部に異常が発生して動作停止したものとする誤った異常の内容を記憶してしまう虞があった。
【０００５】
そこで、例えば、下記特許文献１及び特許文献２には、一般的に電気機器に設けられている商用電源の電圧を常時監視する電源監視装置（電源電圧測定部）を用いて、当該電源監視装置（電源電圧測定部）により監視中の電圧の変動に応じて、所定部位（定着ヒータ加熱制御系）の異常の発生有無を判断する技術が記載されている。
【０００６】
つまり、上記特許文献１及び特許文献２に記載の技術では、上記のように電源装置に異常が発生した場合に、電源監視装置（電源電圧測定部）で監視中の電源電圧がゼロを示すことにより、電源装置からの電力の供給が遮断されたことを検出することができる。このため、上記のように、電源装置からの電力の供給が遮断されたことによって駆動部の動作が停止した場合に、駆動部に異常が発生して動作停止したものとする誤った異常の内容が記憶されることを回避することができた。
【先行技術文献】
【特許文献】
【０００７】
【特許文献１】特開２００７−１１１８８２号公報
【特許文献２】特開２００５−２０２２１９号公報
【発明の概要】
【発明が解決しようとする課題】
【０００８】
しかしながら、上記特許文献１及び特許文献２に記載の技術では、電源監視装置（電源電圧測定部）で監視中の電源電圧を示す制御信号を異常検出回路に出力すべく、信号線を設け、当該信号線と異常検出回路とを接続する必要があった。つまり、電源の異常が発生した場合に、各機能動作部に異常が発生したものとして誤って検出することを回避することができる異常検出回路を構成する上で、コスト面での改善の余地があった。
【０００９】
そこで、本発明は、このような事情に鑑みてなされたものであり、誤った異常の内容が記憶されることを回避できる安価な電源装置、電気機器、及び画像形成装置を提供することを目的とする。
【課題を解決するための手段】
【００１０】
請求項１に記載の発明は、記憶部と、
交流電源から供給される交流電力により動作する交流負荷へ供給される前記交流電力のオンオフを切り替えるスイッチング部と、
前記交流電源から供給される交流電力を予め定められた第１レベルの直流電力に変換する第１変電部と、
前記第１変電部から出力される直流電力を前記第１レベルとは異なる予め定められた第２レベルの直流電力に変換する第２変電部と、
前記交流電源から供給される前記交流電力のゼロクロス点に応答してゼロクロス信号を出力するゼロクロス信号出力部と、
前記第２変電部から供給される直流電力により動作し、前記ゼロクロス信号に応答して前記スイッチング部に前記オンオフを切り変えさせる制御を行う駆動制御部と、
前記第２変電部から供給される直流電力により動作し、前記第１変電部から供給される直流電力により動作する第１直流負荷、前記第２変電部から供給される直流電力により動作する第２直流負荷、又は前記交流負荷の少なくとも一つの異常を検出して、当該異常の内容を前記記憶部に記憶する異常検出部と、
を備え、
前記異常検出部は、前記ゼロクロス信号が停止した場合に、当該停止した時点から、前記第２変電部から供給される直流電力が前記第２レベル未満に電圧降下するまでの間、前記異常の内容を前記記憶部に記憶させない電源装置である。
【００１１】
従来の電源装置では、例えば、商用電源のコンセントに接続されたプラグが離脱される等、交流電源から供給される交流電力が遮断されると、第１直流負荷、第２直流負荷、または交流負荷の動作が継続することにより、交流電力、第１変電部、または第２変電部から供給される電力が消費され、第１変電部または第２変電部から予め定められたレベルの電力が供給されなくなる。
【００１２】
そして、予め定められたレベルの電力が供給されなくなったことによって、当該第１直流負荷、第２直流負荷、または交流負荷の動作が停止すると、当該第１直流負荷、第２直流負荷、または交流負荷自体に異常が発生していないにもかかわらず、当該第１直流負荷、第２直流負荷、または交流負荷に異常が発生して動作停止したものとする誤った異常の内容を記憶する制御を行う。
【００１３】
しかしながら、この発明では、異常検出部は、交流電源から供給される交流電力が遮断されたことによってゼロクロス信号出力部から出力されるゼロクロス信号が停止した場合に、当該停止した時点から第２変電部から供給される直流電力が第２レベル未満に電圧降下するまでの間、上記の誤った異常の内容を記憶部に記憶させない。
【００１４】
このため、異常検出部により、ゼロクロス信号が停止した時点から第２変電部から供給される直流電力が第２レベル未満に電圧降下するまでの間が経過した時点においては、既に第２変電部から第２レベルの直流電力が供給されなくなっているため、異常検出部は動作停止し、異常検出部が上記の誤った異常の内容を記憶部に記憶することが回避される。
【００１５】
また、異常検出部で利用されるゼロクロス信号出力部から出力されるゼロクロス信号は、駆動制御部におけるスイッチング部の制御にも利用されるべく構成されているので、例えば、交流電力が遮断されたか否かを検出する検出部を設けて、当該検出部と接続される新たな信号線を設ける等、交流電力が遮断されたことを検出する機能動作部を新たに設ける必要がない。このため、安価に異常検出部を構成することができる。
【００１６】
また、請求項２に記載の発明は、請求項１に記載の電源装置と、前記交流負荷と、前記第１負荷又は前記第２負荷と、
を備えてなる電気機器である。
【００１７】
この発明では、電気機器において、請求項１に記載の発明における効果を奏することができる。
【００１８】
また、請求項３に記載の発明は、請求項１に記載の電源装置と、
前記交流負荷として、前記交流電源から供給される交流電力により加熱する定着ヒータと、
を備えた画像形成装置であって、
前記スイッチング部は、前記定着ヒータに供給される交流電力のオンオフを切り替え、
前記異常検出部は、前記ゼロクロス信号が停止した場合に、当該停止した時点から、前記第２変電部から供給される直流電力が前記第２レベル未満に電圧降下するまでの間、前記定着ヒータの異常の内容を前記記憶部に記憶させない画像形成装置である。
【００１９】
この発明では、商用電源のコンセントに接続されたプラグが離脱された場合等、交流電力が供給されなくなった場合に、定着ヒータ自体に異常が発生していないにもかかわらず、定着ヒータに異常が発生して動作停止したものとする誤った異常の内容を記憶することが回避される。
【００２０】
また、異常検出部で利用されるゼロクロス信号出力部から出力されるゼロクロス信号は、上記の定着ヒータに供給される交流電力のオンオフを切り替えるスイッチング部の制御にも利用されるべく構成されているので、例えば、交流電力が遮断されたか否かを検出する検出部を設けて、当該検出部と接続される新たな信号線を設ける等、交流電力が遮断されたことを検出する機能動作部を新たに設けることなく、安価に異常検出部を構成することができる。
【発明の効果】
【００２１】
本発明によれば、誤った異常の内容が記憶されることを回避できる安価な電源装置、電気機器、及び画像形成装置を提供することが可能になる。
【図面の簡単な説明】
【００２２】
【図１】本発明に係る電気機器の一例としての複写機を示す概略図。
【図２】複写機の電気的構成の一例を示すブロック図。
【図３】電源装置に関連する機能動作部の構成の一例を示すブロック図。
【図４】駆動制御部がゼロクロス信号とスイッチング部のオンオフを制御する制御信号の一例を示すタイミングチャート。
【図５】異常検出部が異常の内容を記録する動作の一例を示すフローチャート。
【発明を実施するための形態】
【００２３】
以下、本発明に係る電気機器の一例としての複写機について、図面を参照して説明する。
【００２４】
図１は、本発明に係る電気機器の一例としての複写機１を示す概略図である。複写機１は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部８００とから構成される。
【００２５】
操作部４００は、タッチパネル４０１、スタートキー４０２及びテンキー４０３等を備える。
【００２６】
タッチパネル４０１は、拡縮率の設定用画面を含む種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷部数等を入力するために用いられる。
【００２７】
原稿給送部８００は、原稿載置部８０１、原稿排出部８０２、給紙ローラ８０３及び原稿搬送部８０４等を備え、原稿読み取り部５００は、スキャナ５０１等を備える。
【００２８】
給紙ローラ８０３は、原稿載置部８０１にセットされた原稿を繰り出し、原稿搬送部８０４は、繰り出される原稿を１枚ずつ順にスキャナ５０１上に搬送する。スキャナ５０１は搬送される原稿を順次読み取り、読み取られた原稿は原稿排出部８０２に排出される。
【００２９】
本体部２００は、複数の給紙カセット２０１、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、及び排出トレイ２１０を備える。
【００３０】
感光体ドラム２０５は、図中の矢印方向に回転しながら図略の帯電装置によって一様に帯電される。
【００３１】
露光装置２０６は、原稿読み取り部５００において読み取られた原稿の画像データに基づいて生成された変調信号をレーザ光に変換して出力し、感光体ドラム２０５に各色別に静電潜像を形成する。
【００３２】
現像装置２０７Ｙ，２０７Ｍ，２０７Ｃ，２０７Ｋは、各色の現像剤を感光体ドラム２０５に供給して各色別のトナー画像を形成する。中間転写体ローラ２０４は、感光体ドラム２０５から各色のトナー像を転写され、中間転写体ローラ２０４上にカラーのトナー像が形成される。
【００３３】
一方、給紙ローラ２０２は、記録紙が収納された給紙カセット２０１から記録紙を引き出し、転写ローラ２０３まで給送する。転写ローラ２０３は、搬送された記録紙に中間転
写体ローラ２０４上のトナー像を転写させ、定着ローラ２０８は、転写されたトナー像を加熱して記録紙に定着させる。その後、記録紙は、本体部２００の排出口２０９から用紙後処理部３００に搬入される。また、記録紙は、必要に応じて排出トレイ２１０へも排出される。
【００３４】
用紙後処理部３００は、搬入口３０１、記録紙搬送部３０２、搬出口３０３及びスタックトレイ３０４等を備える。
【００３５】
記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００３６】
図２は、図１に示す複写機１の電気的構成の一例を示すブロック図である。複写機１は、スキャナ部１１、プリンタ部２１、操作パネル部３１、パラレルＩ／Ｆ部５１、シリアルＩ／Ｆ部５２、記憶部５３、電源装置６１及び制御部４１を備えている。また、複写機１は、複写機１の拡張機能の動作を実行する本体部２００に着脱可能に構成されたオプション機器７１を装着して、当該複写機１の拡張機能を動作可能に構成されている。
【００３７】
スキャナ部１１は、図１に示す第１スキャナ５０１を構成する照明用光源１２及びイメージセンサ１３を含む。イメージセンサ１３は、例えばＣＣＤを備える。スキャナ部１１は、照明用光源１２により原稿を照射し、その反射光をイメージセンサ１３で受光することにより、原稿から画像を読み取り、読み取った画像に対応する画像データ（画像情報に相当する）を制御部４１へ出力する。
【００３８】
プリンタ部２１は、図１に示す給紙カセット２０１及び給紙ローラ２０２等から構成される用紙搬送部２２、図１に示す中間転写体ローラ２０４、感光体ドラム２０５、露光装置２０６及び現像装置２０７Ｙ，２０７Ｍ，２０７Ｃ，２０７Ｋ等から構成される画像形成部２３、図１に示す転写ローラ２０３等から構成される転写部２４、及び図１に示す定着ローラ２０８等から構成される定着部２５を含む。
【００３９】
具体的には、用紙搬送部２２は記録紙を画像形成部２３へ搬送し、画像形成部２３は上記の画像データに対応するトナー像を形成し、転写部２４はトナー像を記録紙に転写し、定着部２５はトナー像を記録紙に定着させて画像を形成する。
【００４０】
操作パネル部３１は、図１に示すタッチパネル４０１等から構成されるタッチパネル部３２、及び図１に示すスタートキー４０２及びテンキー４０３等から構成される操作キー部３３を含む。
【００４１】
操作パネル部３１は、ユーザがコピー機能に関する操作を行なうために使用され、ユーザによる操作指令等を制御部４１に与える。タッチパネル部３２は、タッチパネルとＬＣＤ（Liquid Crystal Display）とを組み合わせたタッチパネルユニット等から構成され、種々の操作画面、例えば、拡縮率設定等に関する情報を表示するとともに、ユーザが当該部分をタッチすることにより種々の操作指令を入力するための操作ボタン等を表示する。操作キー部３３は、ユーザが印刷実行指令等を入力するために用いられる。
【００４２】
記憶部５３は、ＨＤＤ（ハードディスクドライブ）、不揮発性メモリ、或いはＲＡＭ等の記憶媒体により構成され、スキャナ部１１によって読み取られた画像データ、当該画像データに設定されている出力形式、種々の画像処理（加工処理）後の画像データ、及び各機能動作部で発生した異常の内容を示すエラーログ等を記憶するものである。尚、画像データの記憶部５３への書き込み及び記憶部５３からの画像データの読み出しは、制御部４１からの指令に従って実行される。
【００４３】
パラレルＩ／Ｆ部５１およびシリアルＩ／Ｆ部５２は、外部のコンピュータに対してデータの入出力を行うためのインタフェースである。
【００４４】
電源装置６１は、交流電源から供給される交流電力を直流電力に変換する等して、制御部４１、プリンタ部２１及び本体部２００に装着されたオプション機器７１等の複写機１に備えられた各機能動作部に電力を供給する。
【００４５】
制御部４１は、ＣＰＵやＲＯＭ及びＲＡＭ等のメモリを備えてなるマイクロコンピュータ及び専用のハードウェア回路等を内蔵し、装置全体の動作を制御する。また、制御部４１は、後述するように、電源装置６１に備えられた第２変電部から供給される第２レベルの直流電力により動作し、駆動制御部４２と異常検出部４３としての機能を有する。
【００４６】
オプション機器７１は、本体部２００に着脱可能に構成され、当該複写機１の拡張機能を実現する。例えば、ＦＡＸモデムをオプション機器７１として本体部２００に装着することにより、外部のコンピュータに対してＦＡＸの送受信を行うファクシミリ機能を実現し、或いは、ＬＡＮ用のネットワークインタフェースをオプション機器７１として本体部２００に装着することにより、外部のコンピュータからネットワークを介して受信した画像データを、プリンタ部２１を介して出力するプリンタ機能を実現することができる。
【００４７】
図３は、電源装置６１に関連する機能動作部の構成の一例を示すブロック図である。電源装置６１は、第１変電部６２と、第２変電部６３と、ゼロクロス信号出力部６４と、スイッチング部６５と、を備えている。
【００４８】
第１変電部６２は、ＡＣ／ＤＣコンバータを備えて構成され、交流電源ＡＣから供給される交流電力を予め定められた第１レベル（例えば２４Ｖ）の直流電力に変換する。そして、第１変電部６２は、例えば、照明用光源１２やイメージセンサ１３等のスキャナ部１１に備えられた各駆動部、給紙ローラ２０２及び転写ローラ２０３を駆動するモータ等のプリンタ部２１に備えられた各駆動部、及び、当該第１変電部６２の後段に備えられた第２変電部６３に当該変換した直流電力を供給する。
【００４９】
尚、以下では、第１変電部６２により出力される直流電力により動作する各駆動部を総称して、第１直流負荷９１と示すものとする。
【００５０】
第２変電部６３は、ＤＣ／ＤＣコンバータを備えて構成され、第１変電部６２から出力される直流電力を第１レベルとは異なる予め定められた第２レベル（例えば５Ｖ）の直流電力に変換する。そして、第２変電部６３は、第１直流負荷９１に比して低圧の直流電力で動作する、例えば、パラレルＩ／Ｆ部５１、シリアルＩ／Ｆ部５２、ＦＡＸボードやプリンタボード等のオプション機器７１、及び、制御部４１等の各機能動作部に当該変換した直流電力を供給する。
【００５１】
尚、以下では、第２変電部６３により出力される直流電力により動作する各機能動作部を総称して、第２直流負荷９２と示すものとする。
【００５２】
ゼロクロス信号出力部６４は、交流電源ＡＣから供給される交流電力のゼロクロス点（当該交流電力の電圧波形が０を示す点）に応答して、ゼロクロス信号を制御部４１に出力する。
【００５３】
スイッチング部６５は、後述する駆動制御部４２による制御の下、定着部２５に備えられた定着ローラ２０８を加熱する定着ヒータ等、交流電源ＡＣから供給される交流電力により動作する交流負荷へ供給される交流電力のオンオフを切り替える。つまり、スイッチング部６５によるオンオフの切り変え制御によって、交流負荷への交流電力供給が供給状態（オン）と供給停止状態（オフ）との間で切り替えられる。
【００５４】
駆動制御部４２は、第２変電部６３から供給される第２レベル（例えば５Ｖ）の直流電力により動作し、制御部４１の機能の一部として、ゼロクロス信号出力部６４から出力されるゼロクロス信号に応答してスイッチング部６５にオンオフを切り変えさせる制御を行う。
【００５５】
例えば、駆動制御部４２は、当該スイッチング部６５にオンオフを切り変えさせる制御を行うことにより、定着部２５に備えられた定着ローラ２０８を加熱するための定着ヒータへ供給する交流電力の供給状態（オン）と供給停止状態（オフ）を切り替え、定着ローラ２０８の温度を調整する。
【００５６】
定着ヒータ或いは定着ローラ２０８の近傍には、定着ヒータ或いは定着ローラ２０８の温度を検出する温度センサが設けられ、当該温度センサで検出された定着ヒータ或いは定着ローラ２０８の温度を示す検出信号が、駆動制御部４２に入力されるように構成されている。
【００５７】
駆動制御部４２は、当該温度センサから出力された検出信号が示す定着ヒータ或いは定着ローラ２０８の温度をフィードバックして、ゼロクロス信号に応答してスイッチング部６５にオンオフを切り変え、定着ローラ２０８の温度を調整する。
【００５８】
図４は、駆動制御部４２がゼロクロス信号とスイッチング部６５のオンオフを制御する制御信号（スイッチング制御信号）の一例を示すタイミングチャートである。スイッチング制御信号において、ハイレベル時には定着ヒータへ交流電力が供給（オン）され、定着ヒータが発熱状態となり、ローレベル時には定着ヒータへの交流電力の供給は停止（オフ）され、放熱により、定着ヒータの温度が次第に低下する。
【００５９】
初期状態において、駆動制御部４２はゼロクロス割込み要求状態にあり、つまり、駆動制御部４２がゼロクロス信号の入力に応じた割込み処理の実行を受け付ける状態にある。そして時間ｔ１１におけるゼロクロス信号の立ち上がりに同期して、具体的にはゼロクロス信号の立ち上がりをトリガとして所定時間の間、駆動制御部４２はゼロクロス割込み要求を一旦解除する。つまり、駆動制御部４２は、ゼロクロス信号が入力されてから割込み処理の実行が終わるまでゼロクロス信号の入力を無視（禁止）する。
【００６０】
駆動制御部４２は、ゼロクロス信号の立ち上がりに同期してゼロクロス割込み要求を一旦解除すると共に、スイッチング部６５に対してスイッチング制御信号を出力して（時間ｔ１２）、定着ヒータに交流電力を供給し、定着ヒータを発熱状態にする。
【００６１】
続いて、駆動制御部４２は、スイッチング制御信号の出力に同期して再度ゼロクロス割込み要求状態となる。そして、駆動制御部４２は、時間ｔ１３におけるゼロクロス信号の立ち上がりに同期してゼロクロス割込み要求を一旦解除すると共に、スイッチング部６５に対してスイッチング制御信号を出力する（時間ｔ１４）。これにより定着ヒータへの交流電力の供給は停止（オフ）され、放熱により、定着ヒータの温度が次第に低下する。
【００６２】
このように、駆動制御部４２は、ゼロクロス信号の立ち上がりに同期してスイッチング制御信号を出力し、スイッチング部６５は、当該駆動制御部４２から出力されるスイッチング制御信号を入力して、定着ヒータの発熱状態を切り替える制御を行う。
【００６３】
図３に戻り、異常検出部４３は、第２変電部６３から供給される第２レベル（例えば５Ｖ）の直流電力により動作し、制御部４１の機能の一部として、第１直流負荷９１、第２直流負荷９２、又は交流電源ＡＣから供給される交流電力により動作する交流負荷９３の少なくとも一つの異常を検出して、当該異常の内容を記憶部５３（図２）に記憶する、或いは、操作パネル部３１（図２）に備えられたＬＣＤ（Liquid Crystal Display）等に当該異常の内容を示すメッセージを表示する等して、当該異常の発生を複写機１の操作者に報知する。
【００６４】
例えば、上記のように、交流負荷９３としての定着ローラ２０８を加熱するための定着ヒータの近傍には当該定着ヒータの温度を検出する温度センサが設けられ、当該温度センサで検出された定着ヒータの温度を示す検出信号が異常検出部４３に入力されるように構成されている。この場合、異常検出部４３は、当該検出信号が示す定着ヒータの温度が予めＲＯＭ等に記憶された設定値の範囲を逸脱している場合に、定着ヒータに温度異常が発生しているものとして、当該温度異常の内容を記憶部５３に記憶する。
【００６５】
また、例えば、給紙ローラ２０２を駆動する第１直流負荷９１としてのモータの回転速度を検出する速度センサから出力された当該回転速度を示す検出信号や、第２直流負荷９２としてのパラレルＩ／Ｆ部５１やシリアルＩ／Ｆ部５２において、外部のコンピュータとのデータの入出力のために用いるケーブルが接続されていない等に起因してデータの入出力異常が発生したことを示す制御信号が異常検出部４３に出力されるように構成されている。
【００６６】
この場合、異常検出部４３は、上記検出信号が示す回転速度が予めＲＯＭ等に記憶された設定値の範囲を逸脱している場合に、給紙ローラ２０２を駆動するモータに動作異常が発生しているものとして、当該動作異常の内容を記憶部５３に記憶する。また、異常検出部４３は、パラレルＩ／Ｆ部５１やシリアルＩ／Ｆ部５２におけるデータの入出力異常が発生したことを示す制御信号が入力されると、当該データの入出力異常の内容を記憶部５３に記憶する。
【００６７】
つまり、異常検出部４３は、各負荷９１，９２，９３に備えられたセンサから出力される検出信号が示す動作状態が予めＲＯＭ等に記憶された設定値の範囲を逸脱して、各負荷９１，９２，９３に異常が発生していると判断した場合、或いは、各負荷９１，９２，９３から異常を示す制御信号が入力された場合に、当該異常の内容を記憶部５３に記憶する。
【００６８】
尚、異常検出部４３によって、第１直流負荷９１、第２直流負荷９２、又は交流負荷９３の少なくとも一つの異常を検出して、当該異常の内容を記憶部５３に記憶する構成は、これに限る趣旨ではない。
【００６９】
また、異常検出部４３は、ゼロクロス信号出力部６４から出力されるゼロクロス信号が停止した場合に、当該停止した時点から、第２変電部６３から供給される直流電力が第２レベル（例えば５Ｖ）未満に電圧降下するまでの間、異常の内容を記憶部５３に記憶させない。
【００７０】
詳述すると、図５に示すように、複合機１の電源スイッチがオンされ、交流電源ＡＣ、第１変電部６２、又は第２変電部６３を介して、交流電力、第１レベルの直流電力、又は第２レベルの直流電力が、交流負荷９３、第１直流負荷９１、又は第２直流負荷９２に供給され、各負荷が動作している場合において、例えば、交流電源ＡＣからコンセントが離脱される等によって交流電力の供給が遮断されると、異常検出部４３は、ゼロクロス信号出力部６４から出力されるゼロクロス信号が停止したことを検出して（Ｓ１；ＹＥＳ）、当該停止した時点から、第２変電部６３から供給される直流電力が第２レベル（例えば５Ｖ）未満に電圧降下するまでの間（図中の所定時間）、待機状態となり、異常の内容を記憶部５３に記憶する動作を停止する（Ｓ２）。
【００７１】
ここで、ゼロクロス信号が停止した時点から、第２変電部６３から供給される直流電力が第２レベル（例えば５Ｖ）未満に電圧降下するまでの間（図中の所定時間）とは、例えば、第２変電部６３から出力される直流電力を整流すべく、第２変電部６３に設けられたコンデンサに蓄積された電荷が第２直流負荷９２によって全て消費されるまでの時間を示している。
【００７２】
つまり、ゼロクロス信号が停止した時点から、第２変電部６３から供給される直流電力が第２レベル（例えば５Ｖ）未満に電圧降下するまでの間（図中の所定時間）は、第２変電部６３を構成するコンデンサの電荷容量や、第２直流負荷９２の数等に応じて予め予測されるものであり、当該予測された時間が記憶部５３或いは制御部４１に備えられたＲＯＭに記憶されている。尚、これに限定する趣旨ではなく、操作パネル部３１を介して操作者から入力された時間が設定されるものであってもよい。
【００７３】
尚、異常検出部４３に入力されるゼロクロス信号は、ゼロクロス信号出力部６４から駆動制御部４２に出力されたゼロクロス信号が駆動制御部４２を介して異常検出部４３に入力されるものであってもよい。
【００７４】
図５に戻り、異常検出部４３は、ステップＳ１においてゼロクロス信号の停止を検出した時点から、第２変電部６３から供給される直流電力が第２レベル（例えば５Ｖ）未満に電圧降下するまでの間が経過したと判断すると（Ｓ２；ＹＥＳ）、第２変電部６３から第２レベルの直流電力の供給があれば（Ｓ３；ＹＥＳ）、検出した異常の内容を記憶部５３に記憶する（Ｓ４）。
【００７５】
一方、異常検出部４３は、ステップＳ１においてゼロクロス信号の停止を検出した時点から、第２変電部６３から供給される直流電力が第２レベル（例えば５Ｖ）未満に電圧降下するまでの間が経過した場合であって（Ｓ２；ＹＥＳ）、第２変電部６３から第２レベルの直流電力の供給がないときは（Ｓ３；ＮＯ）、異常検出部４３を動作するのに必要な直流電力が供給されていないため、検出した異常の内容を記憶部５３に記憶する制御を実行することなく、当該異常検出部４３自体の動作を停止して終了する。
【００７６】
つまり、電源装置６１及び制御部４１により、本発明に係る電源装置の一例が構成されている。
【００７７】
従来の電源装置では、例えば、交流電源ＡＣから供給される交流電力が遮断されると、第１直流負荷９１、第２直流負荷９２、または交流負荷９３の動作が継続することにより、交流電力、第１変電部６２、または第２変電部６３から供給される電力が消費され、第１変電部または第２変電部から予め定められたレベルの電力が供給されなくなる。
【００７８】
そして、予め定められたレベルの電力が供給されなくなったことによって、第１直流負荷９１、第２直流負荷９２、または交流負荷９３の動作が停止すると、当該第１直流負荷９１、第２直流負荷９２、または交流負荷９３自体に異常が発生していないにもかかわらず、当該第１直流負荷９２、第２直流負荷９２、または交流負荷９３に異常が発生して動作停止したものとする誤った異常の内容を記憶する制御を行う。
【００７９】
しかしながら、本構成によれば、異常検出部４３は、交流電源ＡＣから供給される交流電力が遮断されたことによってゼロクロス信号出力部６４から出力されるゼロクロス信号が停止した場合に、当該停止した時点から第２変電部６３から供給される直流電力が第２レベル未満に電圧降下するまでの間、上記の誤った異常の内容を記憶部５３に記憶させない。
【００８０】
このため、異常検出部４３により、ゼロクロス信号が停止した時点から第２変電部６３から供給される直流電力が第２レベル未満に電圧降下するまでの間が経過した時点においては、既に第２変電部６３から第２レベルの直流電力が供給されなくなっているため、異常検出部４３は動作停止し、異常検出部４３が上記の誤った異常の内容を記憶部５３に記憶することが回避される。
【００８１】
また、異常検出部４３で利用されるゼロクロス信号出力部６４から出力されるゼロクロス信号は、駆動制御部４２におけるスイッチング部６５の制御にも利用されるべく構成されているので、例えば、交流電力が遮断されたか否かを検出する検出部を設けて、当該検出部と接続される新たな信号線を設ける等、交流電力が遮断されたことを検出する機能動作部を新たに設ける必要がない。このため、安価に異常検出部４３を構成することができる。
【００８２】
尚、上記実施形態においては、電気機器の一例として、交流電源から供給される交流電力により加熱する定着ヒータを備えた画像形成装置である複写機を例に説明したが、これに限らず、プリンタ等の画像形成装置、パソコン、テレビ、或いは冷蔵庫等、交流電源から供給される交流電力のゼロクロス信号を用いた制御を行う機能動作部を備えたその他の電気機器であってもよい。
【００８３】
尚、上記実施形態において図１乃至図５に示した構成及び設定は単なる一例に過ぎず、本発明を当該実施形態に限定する趣旨ではない。
【符号の説明】
【００８４】
１    複写機（電気機器）
２５  定着部
４１  制御部
４２  駆動制御部
４３  異常検出部
５３  記憶部
６１  電源装置
６２  第１変電部
６３  第２変電部
６４  ゼロクロス信号出力部
６５  スイッチング部
９１  第１直流負荷（直流負荷）
９２  第２直流負荷（直流負荷）
９３  交流負荷
ＡＣ  交流電源
【図１】
2012013829.tif 000003
【図２】
2012013829.tif 000004
【図３】
2012013829.tif 000005
【図４】
2012013829.tif 000006
【図５】
2012013829.tif 000007